(57)【要約】【課題】軒先からの雨水や軒樋からの跳ね水が鼻板側へ回り込むことを防いで、軒樋の中に落とし込むとともに、鼻板および野地板の突出部裏面の損傷を防止する軒先の雨仕舞の構造を提供する。【解決手段】野地板５と屋根部材６との間に挟着され、斜め下方に延出する長尺の水切り部材２と、鼻板７に固定された軒樋支持具３と、上記水切り部材２と軒樋支持具３との間に架設される雨水カバー部材１とからなり、上記水切り部材２の先端部はＶ字型に鼻板７側に折り曲げられて上記雨水カバー部材１の上端部１１が係止する係止部２１とされ、上記雨水カバー部材１の下端部は上記軒樋支持具３の軒樋４を吊持する支持桿３１上面に設けられた係合爪部３１１と係合する係合片１２とされた軒先の雨仕舞の構造A。【選択図】図１
2007186872.tif 000002
【特許請求の範囲】
【請求項１】
野地板と屋根部材との間に挟着され、斜め下方に延出する長尺の水切り部材と、鼻板に固定された軒樋支持具と、上記水切り部材と軒樋支持具との間に架設される雨水カバー部材とからなり、上記水切り部材の先端部はＶ字型に鼻板側に折り曲げられて上記雨水カバー部材の上端部が係止する係止部とされ、上記雨水カバー部材の下端部は上記軒樋支持具の軒樋を吊持する支持桿上面に設けられた係合爪部と係合する係合片とされた軒先の雨仕舞の構造。
【請求項２】
上記雨水カバー部材の上端部は上記水切り部材の先端のＶ字溝に内嵌するようにＶ字型に延設されるとともに、両者が重なり合った部分が固定手段によって固定される請求項１に記載の軒先の雨仕舞の構造。
【請求項３】
上記雨水カバー部材が弾性材料から形成された請求項１に記載の軒先の雨仕舞の構造。
【発明の詳細な説明】
【技術分野】
【０００１】
本発明は、軒先に設けられる雨仕舞に関する。さらに詳しくは、屋根先部分からの雨水や軒樋からの跳ね水が鼻板や野地板の突出部下面等、駆体の一部に回り込まないように設けられる雨仕舞の構造に関する。
【背景技術】
【０００２】
屋根先から流れ落ちる雨水は、駆体の一部である鼻板側に回り込まないよう、軒先に延設された水切りによって雨仕舞され、下方に受ける軒樋に落とし込むようにされている。すなわち、公知の軒先の雨仕舞の構造Ｂは、本願図２に示すように、野地板５と屋根部材６との間に挟着された水切り部材２が屋根先部分に斜め下方へ突出して設けられている。また、上記水切り部材２の先端部は折り曲げられ、この折曲部２ａは、鼻板７に固定された軒樋支持具３によって吊持される想像線で示す軒樋４の上方開口に臨んでいる。
【０００３】
しかしながら、上記水切りの施工は屋根業者が担当し、軒樋工事は樋工事専門業者が施工するため、雨水の軒樋への流下位置の調節等が十分に行われるとはいい難く、水切りからの雨水が鼻板に回り込んで鼻板を腐食させ、あるいは、軒樋からの跳ね水が野地板の軒先への突出部の下面を湿らせ、傷めるという問題がある。
【特許文献１】特開２００２−１８８２５８号公報（第１〜３頁、第１図）
【発明の開示】
【発明が解決しようとする課題】
【０００４】
本発明は上記問題を解決して、屋根先から流れ落ちる雨水や軒樋からの跳ね水が鼻板側へ回り込むことを防いで軒樋開口の中に落とし込むことができるとともに、鼻板等の損傷を防止する軒先の雨仕舞の構造を提供することを、その課題とする。
【課題を解決するための手段】
【０００５】
上記課題を解決するために、本発明においては、つぎのような技術的手段を講じている。すなわち、請求項１に記載の発明によれば、野地板と屋根部材との間に挟着され、斜め下方に延出する長尺の水切り部材と、鼻板に固定された軒樋支持具と、上記水切り部材と軒樋支持具との間に架設される雨水カバー部材とからなり、上記水切り部材の先端部はＶ字型に鼻板側に折り曲げられて上記雨水カバー部材の上端部が係止する係止部とされ、上記雨水カバー部材の下端部は上記軒樋支持具の軒樋を吊持する支持桿上面に設けられた係合爪部と係合する係合片とされた軒先の雨仕舞の構造が提供される。
【０００６】
請求項２に記載の軒先の雨仕舞の構造は、請求項１に記載の発明に加えて、上記雨水カバー部材の上端部は上記水切り部材の先端のＶ字溝に内嵌するようにＶ字型に延設されるとともに、両者の重なり合う部分が固定手段によって固定されることが好ましい。固定手段としては、とくに限定されるものではないが、例えば、リベット等で適当な間隔をおいて固定することが好ましい。
【０００７】
請求項３に記載の軒先の雨仕舞の構造は、請求項１に記載の発明に加えて、上記雨水カバー部材が弾性材料から形成されることが好ましい。例えば、ステンレススティール、鉄、アルミ等の金属類、上記した金属類にアクリル樹脂等をコーティングしたもの、単にアクリル等の樹脂を成形したもの等、強度と耐久性のある弾性材料であれば、とくに限定されることなく用いることができる。
【発明の効果】
【０００８】
請求項１に記載の発明にかかる軒先の雨仕舞の構造は上記のとおりであり、長尺の水切り部材と、鼻板に固定された軒樋支持具と、上記水切り部材と軒樋支持具との間に架設される雨水カバー部材とからなり、この雨水カバー部材が、暴風雨の際に横殴りの雨や軒樋から跳ね返った雨水が鼻板の前面に降りかかることを防ぐとともに、雨水カバー部材の上端部が、水切り部材の先端を伝って雨水が後上方に逆流することを防ぐため、鼻板および野地板の前方突出部下面が保護され、腐食等によって損傷することを防止できる。
【０００９】
請求項２に記載の軒先の雨仕舞の構造は上記のとおりであり、請求項１の軒先の雨仕舞の構造の有する効果に加え、上記雨水カバー部材の上端部は水切り部材先端のＶ字溝に内嵌するようにＶ字型に延設されるとともに、両者の重なり合う部分がリベット等の固定手段によって適当な間隔で固定されるため、雨水カバー部材が外れることなく、しっかりと取り付けられる。
【００１０】
請求項３に記載の軒先の雨仕舞の構造は上記のとおりであり、請求項１の軒先の雨仕舞の構造の有する効果に加え、上記雨水カバー部材が弾性材料から形成されているため、その上端部を水切り部材のＶ字溝に弾性的に内嵌して係止できるとともに、上記雨水カバー部材の下端部が軒樋支持具の支持桿上面に設けられた係合爪部に係合する係合片とされているため、しっかりと弾性係合することができる。
【発明を実施するための最良の形態】
【００１１】
以下、本発明の実施形態について図面を参照して、詳細に説明する。図１は本発明にかかる軒先の雨仕舞の構造Ａを示す断面図である。図１に示すように、上記軒先の雨仕舞の構造Ａは、野地板５と屋根部材６との間に挟着され、斜め下方に延出する長尺の水切り部材２と、鼻板７に固定された軒樋支持具３と、長尺の雨水カバー部材１とからなるとともに、上記水切り部材２の先端はＶ字型に鼻板７側に折り曲げられ、上記雨水カバー部材１の上端部１１が係止する係止部２１とされている。また、想像線で示す軒樋４は軒樋支持具３によって吊り下げ支持される。
【００１２】
図１に示されているように、雨水カバー部材１の上端部１１は上記水切り部材２の先端の係止部２１のＶ字溝に内嵌するように、該係止部２１と略同様にＶ字型に延設され、かつ、雨水カバー部材１自身が弾性材料から形成されているため、しっかりと弾性係止される。さらに、上記係止部２１と雨水カバー部材１の上端部１１との重なり合う部分はリベット８等の固定手段で適当な間隔で固定される。このようにリベット８で固定することによって、雨水カバー部材１は外れることなく、しっかりと水切り部材２の先端に取り付けられる。
【００１３】
また、図１に示すように、軒樋支持具３の支持桿３１には係合爪部３１１が設けられ、この係合爪部３１１に雨水カバー部材１の下端部が係合片１２としてしっかりと弾性係合する。
【００１４】
このようにすることによって、水切り部材２の先端の係止部２１と軒樋支持具３の支持桿３１設けられた係合爪部３１１との間に長尺の雨水カバー部材１がしっかりと架設され、暴風雨の際に、横殴りの雨や軒樋から跳ね返った雨水が鼻板７の前面に降りかかることを防ぐ。また、雨水カバー部材１の上端部１１によって、水切り部材２の先端を伝って雨水が後上方に逆流することが妨げられ、このように、雨水カバー部材１によって鼻板７および野地板５の前方突出部下面は保護され、腐食等による損傷を効果的に防ぐことができる。なお、本実施形態において、雨水カバー部材１はその側面部がやや屈曲した状態で架設されているが、平板でも、また他の形態でもよく、このように本発明は、種々設計変更可能であり、特許請求の範囲を逸脱しない限り本発明の技術的範囲に属する。
【図面の簡単な説明】
【００１５】
【図１】本発明にかかる軒先の雨仕舞の構造を示す断面図である。
【図２】公知の軒先の雨仕舞の構造を示す断面図である。
【符号の説明】
【００１６】
Ａ          本発明にかかる軒先の雨仕舞の構造
１          雨水カバー部材
１１        上端部
１２        係合片
２          水切り部材
２１        係止部
３          軒樋支持具
３１        支持桿
３１１      係合爪部
４          軒樋
５          野地板
６          屋根部材
７          鼻板
８          リベット
Ｂ          公知の軒先の雨仕舞の構造
２ａ        折曲部
【図１】
2007186872.tif 000003
【図２】
2007186872.tif 000004